(57)【要約】【課題】用途に応じた取出しが可能となり、また、その取出し量の調整も容易に行うことができる、新規な取出し容器を提供する。【解決手段】本発明は、複数の内容物を充填する内部空間Rを有し当該内部空間Rに通じる開口部A1を通して内容物の取り出しが可能な容器本体1と、当該容器本体1にヒンジ3を介して連結され、当該ヒンジ3を基点とした回動によって開口部A1を開閉する蓋体2とを備え、当該蓋体2の天壁2aには、内容物の取出し口A2が形成されていると共に、天壁2aに沿ったスライドにより取出し口A2を開閉可能なスライド蓋4が設けられている。また、スライド蓋4に、当該蓋4を押し込んで取出し口A2を閉じたとき、容器本体1と係合して蓋体2の開放を阻止するロックアーム4cが設けられている。【選択図】図８
2011157098.tif 000002
【特許請求の範囲】
【請求項１】
複数の内容物を充填する内部空間を有し当該内部空間に通じる開口部を通して内容物の取り出しが可能な容器本体と、当該容器本体にヒンジを介して連結され、当該ヒンジを基点とした回動によって前記開口部を開閉する蓋体とを備え、
当該蓋体の天壁には、内容物の取出し口が形成されていると共に、
天壁に沿ったスライドにより取出し口を開閉可能なスライド蓋が設けられていることを特徴とする、取出し容器。
【請求項２】
請求項１において、前記スライド蓋に、当該スライド蓋を押し込んで前記取出し口を閉じたとき、容器本体と係合して蓋体の開放を阻止するロックアームを設けたことを特徴とする、取出し容器。
【請求項３】
請求項２において、蓋体及び容器本体に、ロックアームが合さって当該ロックアームを内側に収容する凹部を設けたことを特徴とする、取出し容器。
【請求項４】
請求項１乃至３のいずれか１項において、前記スライド蓋を、取出し口を形作る縁部に沿ってスライドさせるようにしたことを特徴とする、取出し容器。
【発明の詳細な説明】
【技術分野】
【０００１】
本発明は、複数の内容物を充填可能な容器本体を有し、この容器本体に充填された内容物を取り出すことができる取出し容器に関するものである。
【背景技術】
【０００２】
従来、例えばガムや飴玉、錠剤等の内容物を収納する取出し容器としては、例えば、ヒンジを基点とした蓋体の回動により、容器本体の開口部を開放させることで、容器本体に充填された内容物を取り出せるようにしたものがある（例えば、特許文献１参照）。
【先行技術文献】
【特許文献】
【０００３】
【特許文献１】特開２００９−１０７６７０号公報
【発明の概要】
【発明が解決しようとする課題】
【０００４】
しかしながら、従来の取出し容器は、１つの内容物を取り出そうとする場合、蓋体を開いて容器本体を開放させた後、その開口部に手を入れて内容物を摘み出さなければならないため、取出し操作が煩雑で、素早い取り出しができないという問題がある。
【０００５】
また、従来の取出し容器は、複数の内容物を取り出そうとする場合、容器本体を傾ける必要があるが、その傾け方は、使用者の感覚に因るところが大きい。このため、複数の内容物を所定量だけ取り出そうとしたときも、その取出し量の調整が煩雑で、素早い取り出しができないという問題がある。
【０００６】
本発明の目的とするところは、用途に応じた取出しが可能となり、また、その取出し量の調整も容易に行うことができる、新規な取出し容器を提供することにある。
【課題を解決するための手段】
【０００７】
本発明である取出し容器は、複数の内容物を充填する内部空間を有し当該内部空間に通じる開口部を通して内容物の取り出しが可能な容器本体と、当該容器本体にヒンジを介して連結され、当該ヒンジを基点とした回動によって前記開口部を開閉する蓋体とを備え、
当該蓋体の天壁には、内容物の取出し口が形成されていると共に、
天壁に沿ったスライドにより取出し口を開閉可能なスライド蓋が設けられていることを特徴とするものである。
【０００８】
前記スライド蓋には、当該スライド蓋を押し込んで前記取出し口を閉じたとき、容器本体と係合して蓋体の開放を阻止するロックアームを設けることができる。具体例としては、スライド蓋の引き出し側から容器本体に至るまで延在し、容器本体に設けた凹部と嵌合して蓋体の開放を阻止する凸部を備えるものが挙げられる。なお、ロックアームは、スライド蓋と一体に構成することができるが、別体として構成することも可能である。
【０００９】
また、本発明に従えば、上述のように、スライド蓋にロックアームを設けた場合、蓋体及び容器本体に、ロックアームが合さって当該ロックアームを内側に収容する凹部を設けることができる。
【００１０】
更に、本発明に係るスライド蓋は、蓋体の天壁に沿ってスライドさせるものであれば、その構成については特に限定されないが、本発明によれば、取出し口を形作る縁部に沿ってスライドさせることができる。具体例としては、前記縁部の内側に条溝を設け、この条溝にスライド蓋の側面に形成した突起を挿入することで、当該スライド蓋のスライド動作を実現する。
【発明の効果】
【００１１】
本発明によれば、ヒンジを基点に蓋体を回動させることにより、蓋体を開いて容器本体の開口部全体を開放させれば、大量の内容物を取り出すことができる。即ち、容器本体にヒンジを介して繋がる蓋体を利用すれば、一度に大量の内容物を取り出すことができる。
【００１２】
また、スライド蓋の可動範囲（スライド量）を調整すれば、これに併せて取出し口の開口面積も適宜調整することができる。即ち、スライド蓋を利用すれば、内容物を少量ずつ取り出すことができ、更に、その取出し量も、スライド蓋の可動範囲に応じたものとすることができる。
【００１３】
即ち、本発明によれば、ヒンジ蓋とスライド蓋とを使い分けることで用途に応じた取出しが可能となり、更に、その取出し量も、スライド蓋の可動範囲に応じて適宜調整することができる。
【００１４】
また、前記スライド蓋に、当該スライド蓋を押し込んで前記取出し口を閉じたとき、容器本体と係合して蓋体の開放を阻止するロックアームを設ければ、スライド蓋を稼働させて取出し口を閉じると同時に、蓋体が誤って開いてしまうことを防止することができる。
【００１５】
また、スライド蓋にロックアームを設けた場合、蓋体及び容器本体に、ロックアームが合さって当該ロックアームを内側に収容する凹部を設ければ、スライド蓋を閉じたときにロックアームが邪魔になることがなく、コンパクト化を図ることができる。
【００１６】
同様に、スライド蓋を、取出し口を形作る縁部に沿ってスライドさせれば、スライド蓋が蓋体から膨出することなく、コンパクト化を図ることができる。
【図面の簡単な説明】
【００１７】
【図１】本発明の第１の形態である、取出し容器であって、その使用前の状態を示す斜視図である。
【図２】(a),(b)はそれぞれ、図１のＡ−Ａ断面図及びＢ−Ｂ断面図である。
【図３】同形態を、一度に大量の内容物を取り出すことができる状態で示す斜視図である。
【図４】同形態を、内容物を少量ずつ取り出すことができる状態で示す斜視図である。
【図５】本発明の第２の形態である、取出し容器であって、その使用前の状態を示す斜視図である。
【図６】図５のＣ−Ｃ断面図である。
【図７】同形態を、内容物を少量ずつ取り出すことができる状態で示す斜視図である。
【図８】同形態を、一度に大量の内容物を取り出すことができる状態で示す斜視図である。
【発明を実施するための形態】
【００１８】
以下、図面を参照して、本発明の一形態である、合成樹脂製の取出し容器を詳細に説明する。
【００１９】
図１〜図５は、本発明の第１の形態であり、符号１は、例えば、粒状の固形物としてなる、複数の内容物の出し入れが可能な容器本体である。
【００２０】
容器本体１は、内容物が充填される空間Ｒ（図２参照）を内側に形成し、その断面形状が、図３に示すように、矩形形状をしてなる胴部１ａを有し、この胴部１ａの上方には、内部空間Ｒに通じる開口部Ａ1を形作る口部１ｂが一体に設けられている。内部空間Ｒは、胴部１ａの下端に一体に繋がる底部１ｃにより形成されている。これにより、容器本体１に充填された内容物は、開口部Ａ1を通して取り出すことができる。
【００２１】
符号２は、図２(a)に示すように、容器本体１にヒンジ３を介して一体に連結され、このヒンジ３を基点とした回動によって開口部Ａ1を開閉する蓋体である。蓋体２は、天壁２ａを有し、この天壁２ａから一体に、容器本体１の口部１ｂを取り囲む筒状の側壁２ｂが垂下する。
【００２２】
これにより、蓋体２は、その側壁２ｂが口部１ｂに嵌合されることで、容器本体１に着脱可能に固定される。なお、本形態では、口部１ｂの外周面全周に亘って嵌合突起１ｃが設けられていると共に、蓋体２の側壁２ｂ内周面全周に亘って嵌合突起２ｄが設けられている。これら嵌合突起１ｃ及び２ｄがそれぞれ、互いに嵌合することで、蓋体２を強固に固定保持する。
【００２３】
また、蓋体２の天壁２ａには、内容物の取出し口Ａ2が形成されている。取出し口Ａ2は、図４等に示すように、胴部長手方向に沿って延在する矩形の開口部としてなる。
【００２４】
符号４は、天壁２ａに沿ったスライドにより取出し口Ａ2を開閉可能なスライド蓋である。スライド蓋４は、図２の二点鎖線や図４に示すように、取出し口Ａ2を形作る縁部２ｅに沿ってスライドさせるものである。
【００２５】
詳細には、図２や図４に示すように、取出し口Ａ2を形作る縁部のうち、左右に対向する２つの縁部２ｅの内側にそれぞれ条溝２ｃを設け、これら条溝２ｃにスライド蓋４の側面に形成した突条（突起）４ａを挿入することで、スライド蓋４のスライド動作を実現する。但し、本発明に従えば、スライド蓋４は、蓋体２の天壁２ａに沿ってスライドするものであれば、その構成については特に限定されない。
【００２６】
本形態によれば、図３に示すように、ヒンジ３を基点に蓋体２を回動させることにより、蓋体２を開いて容器本体１の開口部Ａ1全体を開放させれば、容器本体１を傾けることで、大量の内容物を取り出すことができる。即ち、容器本体１にヒンジ３を介して繋がる蓋体２を利用すれば、従来と同様、大量の内容物を取り出すことができる。なお、本発明に因れば、従来同様、開口部Ａ1から１つずつ、内容物をつまみ出すこともできる。
【００２７】
また、使用者がスライド蓋４を操作することにより、スライド蓋４の可動範囲（スライド量）を調整すれば、図４に示すように、これに併せて取出し口Ａ2の開口面積も適宜調整することができる。即ち、スライド蓋４を利用すれば、従来と同様、容器本体１を傾けることで、内容物を少量ずつ取り出すことができ、更に、その取出し量も、スライド蓋４の可動範囲に応じたものとすることができる。
【００２８】
即ち、本形態によれば、ヒンジ蓋２とスライド蓋４とを使い分けることで用途に応じた取出しが可能となり、また、その取出し量も、スライド蓋４の可動範囲に応じて適宜調整することができる。
【００２９】
また、本形態のように、スライド蓋４を、取出し口Ａ2を形作る縁部２ｅに沿ってスライドさせれば、図１等に示すように、スライド蓋４が蓋体２から膨出することなく、平坦な表面を形成することができるため、コンパクト化を図ることができる。
【００３０】
図５〜図８は、本発明の第２の形態である。以下、第１の形態と同一部分は、同一符号をもって、その説明を省略する。
【００３１】
本形態は、スライド蓋４に、このスライド蓋４を押し込んで取出し口Ａ2を閉じたとき、容器本体１と係合して蓋体２の開放を阻止するロックアーム４ｃが設けられている。詳細には、スライド蓋４の引き出し側が容器本体１に至るまで延在し、その下端裏面に、容器本体１に設けた凹部ｎと嵌合して蓋体２の開放を阻止する凸部ｐを備える。
【００３２】
本形態の如く、スライド蓋４に、このスライド蓋４を押し込んで取出し口Ａ2を閉じたとき、容器本体１と係合して蓋体２の開放を阻止するロックアーム４ｃを設ければ、スライド蓋２を稼働させて取出し口Ａ2を閉じると同時に、蓋体２が誤って開いてしまうことを防止することができる。
【００３３】
なお、ロックアーム４ｃは、本形態のように、スライド蓋４と一体に構成することができるが、他の形態として、別体として構成することも可能である。
【００３４】
また、スライド蓋４にロックアーム４ｃを設けた本形態では、容器本体１及び蓋体２にはそれぞれ、ロックアーム４ｃが合さって当該ロックアーム４ｃを内側に収容する窪みＤ1及びＤ2が設けられている。
【００３５】
本形態のように、スライド蓋４にロックアーム４ｃを設けた場合、容器本体１及び蓋体２に、ロックアーム４ｃが合さって、このロックアーム４ｃを内側に収容する窪みＤ1及びＤ2を設ければ、スライド蓋４を閉じたときにロックアーム４ｃが邪魔になることがなく、平坦な表面を形成できるため、コンパクト化を図ることができる。
【００３６】
上述したところは、本発明の一形態を示したに過ぎず、特許請求の範囲内において、種々の変更を加えることができる。例えば、蓋体２を口部１ｂに対して着脱可能に固定する構成としては、本形態の構成に限定されるものではなく、上述した構成以外にも、突起及び溝の関係、或いは、蓋体２及び口部１ｂの一方に設けた突起と側面との関係、更には、蓋体２及び口部１ｂの側面同士の関係など、様々な構成のものを選択することができる。また、上述の各形態に採用された各構成はそれぞれ、互いに適宜、組み合わせることができる。
【産業上の利用可能性】
【００３７】
本発明は、例えば、ガムや飴玉等のお菓子、錠剤等の医薬品を内容物として充填し、その取り出しが求められる容器として採用することができる。
【符号の説明】
【００３８】
１    容器本体
１ａ  容器本体胴部
１ｂ  容器本体口部
１ｃ  嵌合突起
２    蓋体
２ａ  蓋体天壁
２ｂ  蓋体側壁
２ｃ  条溝
２ｅ  開口縁部
３    ヒンジ
４    スライド蓋
４ａ  突条
４ｃ  ロックアーム
Ａ1   容器本体開口部
Ａ2   蓋体取出し口
Ｄ1   容器本体窪み
Ｄ2   蓋体窪み
ｎ    ロックアーム嵌合凹部
ｐ    ロックアーム係合凸部
【図１】
2011157098.tif 000003
【図２】
2011157098.tif 000004
【図３】
2011157098.tif 000005
【図４】
2011157098.tif 000006
【図５】
2011157098.tif 000007
【図６】
2011157098.tif 000008
【図７】
2011157098.tif 000009
【図８】
2011157098.tif 000010